(57)【要約】      （修正有）【課題】スクリーン用円盤がその重量で垂れ下がり、櫛歯状スクレーパーとの噛みあいが悪くなり摩擦抵抗が高くなるのを防ぎ、かつ担体等の目詰まりを防止する分離機におけるストレーナーの目詰まり防止装置の提供。【解決手段】リング状円盤８の内径側に一定の間隔で支持軸を挿入し、この支持軸により多段に積層した円盤８を支持してスクリーン部３を形成する。前記スクリーン部３の外周面に櫛歯状のスクレーパー１２を配置し、このスクレーパー１２により付着物を除去し、目詰まりを防止する。【選択図】図１
2019115875.tif 000002
【特許請求の範囲】
【請求項１】
平面視リング状に形成した円盤の内径側に一定の間隔で軸体噛合部を形成したこと、
前記円盤の内径側に外周面に断面櫛歯状の係合溝を形成した軸体を設け、この軸体を前記円盤の歯合部に係合させてストレーナーを形成したこと、
前記ストレーナーの上部に流体通過穴を形成した上蓋を配設し、下面に底蓋を配設すると共に、上蓋と底蓋間を前記軸体で固定することにより円筒状のフィルター部を形成したこと、
前記ストレーナーの上蓋と底蓋の中心に回転軸を挿入し、この回転軸を前記上蓋上のモータにより回転自在に形成したこと、
前記ストレーナーの外周面であって円盤間の溝内に櫛歯の先端が少し食い込んだ状態で櫛歯状のスクレーパーを配置したこと、
を特徴とする分離機におけるストレーナーの目詰まり防止装置。
【発明の詳細な説明】
【技術分野】
【０００１】
本発明は、例えば廃液中に担体を浮遊させて廃液中の汚染物を微生物化する施設において、汚染物処理槽内に設置して前記微生物及び担体が流れによりストレーナーのスクリーンに付着し、目詰まりしたものを付着させて除去する目詰まり防止装置に関し、前記微生物が付着した担体及びその他の浮遊物を除去して経年的に分離性能が低下するのを防止するストレーナーの目詰り防止装置に関するものである。
【背景技術】
【０００２】
この種の分離機の目詰り防止装置としては、環状のフィルターを用いた代表的な例として、特開２０１３−１０７０７５号公報（特許文献１）に記載されたものが公知である。
【０００３】
この内容は、廃水処理槽に設置されるスクリーン装置であって、前記スクリーン装置は、流動担体排除部と駆動機構とが本体に付設されてなり、前記本体は、前記処理槽内の処理水を取り入れる入水部と、処理水を処理槽外に排出する排水部とを備え、前記入水部は周面に濾過部が設けられた回転可能な有底円筒状のスクリーン部を有し、前記流動担体排除部は、前記スクリーン部の回転周面に近接又は当接するように配置され、前記駆動機構は、前記スクリーン部を回転駆動させることを特徴とするものである。
【０００４】
この場合、スクリーン部の各スクリーンの間隔は微少であることから、経年的に重力で担持体（リング）が変形して櫛歯状のスクレーパー、積層環板間の間隔が狭くなり過ぎて付着性能が低下したり、環板とスクレーパーの間隔が狭くなり過ぎて目詰まりが発生し、性能が低下するという問題がある。
【０００５】
また、組み立て時に製作誤差が発生しやすく、そのため組み立てには熟練と手数を要し、経年的には定期的なメンテナンスが必要であった。
【先行技術文献】
【特許文献】
【０００６】
【特許文献１】特開２０１３−１０７０７５号公報
【発明の概要】
【発明が解決しようとする課題】
【０００７】
本発明は、前記特許文献１に記載の分離装置において、例えばスクリーンの円盤間に付着したゲル付着担持体等を効率よく除去するための分離機であって、経年的に円盤が変形したり、熟練者でなくても組み立てが容易な分離装置を提供することを目的とする。
【課題を解決するための手段】
【０００８】
上記目的を達成するため、請求項１に記載の発明は、分離機におけるストレーナーの目詰まり防止装置において、平面視リング状に形成した円盤の内径側に一定の間隔で軸体噛合部を形成したこと、前記円盤の内径側に外周面に断面櫛歯状の係合溝を形成した軸体を設け、この軸体を前記円盤の歯合部に係合させてストレーナーを形成したこと、前記ストレーナーの上部に流体通過穴を形成した上蓋を配設し、下面に底蓋を配設すると共に、上蓋と底蓋間を前記軸体で固定することにより円筒状のフィルター部を形成したこと、前記ストレーナーの上蓋と底蓋の中心に回転軸を挿入し、この回転軸を前記上蓋上のモータにより回転自在に形成したこと、前記ストレーナーの外周面であって円盤間の溝内に櫛歯の先端が少し食い込んだ状態で櫛歯状のスクレーパーを配置したことを特徴とするものである。
【発明の効果】
【０００９】
本発明は、主として廃液中の汚染物質を微生物化する処理施設において、担持体分離用円盤の間隔を櫛歯状の支持軸により強制的に支持して円盤の間隔を確実に固定することができるため、経年的に円盤の間隔がその重力で垂れ下がったりするのを防ぐことができる。
【００１０】
また、製作時に円盤の間隔設定がしやすく、円盤は円周（内径）上において支持軸により一定の間隔をあけて支持されているため、経年的に円盤が垂れ下がって目詰まり等により変形し、分離性能が低下したりしない。
【００１１】
また、このような変形による性能の低下もないことからメンテナンスも殆ど不要となる。
【図面の簡単な説明】
【００１２】
【図１】分離機全体の説明図である。
【図２】スクリーン用円盤の平面図である。
【図３】スクリーン部を組み立てた状態の平面図である。
【図４】スクリーン部を組み立てた状態の円盤と支持軸を示す平面図である。
【図５】櫛歯状支持軸の側面図である。
【図６】櫛歯状支持軸の平面図である。
【図７】スクレーパーと円盤との係合関係を示す側面図である。
【図８】スクレーパーと円盤との係合関係を示す平面図である。
【図９】スクレーパーの側面図である。
【図１０】スクレーパーの平面図である。
【発明を実施するための形態】
【００１３】
次に、本発明の実施形態を図面を基に詳細に説明する。
【００１４】
図１は、本発明に係る分離機を担体処理槽に設置した形態であって、符号の１は分離機を示し、この分離機１は処理槽２内においてスクリーン部３を処理槽２内に沈下させて設置されている。
【００１５】
この状態において、分離機１の上部に設置したモータ５を回転させると、回転軸５ａを介してスクリーン部３が回転し、この回転により処理槽２内の処理液４ａは、スクリーン部３のリング状の円盤８の周面から内部に侵入し、この侵入時に廃液４ａ中に浮遊している担体９も円盤８の隙間から侵入するが、固形の担体９は円盤８に付着し、廃液４ａのみがスクリーン部３の中心から天蓋１０の透孔１０ａを経て排出口４側に排出される。
【００１６】
この作用において、スクリーン部３（円盤８）の外には図７、８に示すように櫛歯状スクレーパー１２が軸１２ｂにより取り付けられており、このスクレーパー１２の櫛１２ａの先端は図８に示すように円盤８の周囲の隙間に少し挿入されているため、円盤８に付着した担体９はこの櫛歯状のスクレーパー１２の先１２ａで掻き落とされて処理槽２内に戻され、次の処理に利用される。
【００１７】
円盤８には、担体９に併せてゴミ類も混入しており、このゴミ類もスクレーパー１２により掻き落とされる。
【００１８】
このような作用により、円盤８は担体９及びゴミ類での目詰まりが阻止されて、性能は永く維持される。
【００１９】
上記構成と作用において、スクリーン部３は図１に示すように円盤８が多段に積層された内径８ａ内において支持軸１５のリングリブ１５ａにより一体に形成されている。
【００２０】
円盤８内の内径８ａと支持軸１５との関係は本実施例においては等間隔で６ヶ所であるが、この数以上又は以下であっても実用的には問題ないが、円盤８がその重量で下方に垂れ下がらない範囲であれば数は限定されないが、好ましくは６ヶ所乃至８ヶ所が最良である。
【００２１】
本実施例において、円盤８の板厚は２．０ｍｍから成り、ピッチ間隔は４．５ｍｍ、溝の間隔は２．５ｍｍである。
【００２２】
この円盤８を６ヶ所で支持する櫛歯状の支持軸１５の周囲にはリングリブ１５ａが多段に形成してあり、このリングリブ１５ａの間隔は２．０ｍｍ、厚みは２．５ｍｍ、高さ（深さ）は３．５ｍｍである。
【００２３】
この櫛歯状の支持軸１５は、図５，６に示すように、各リブ１５ａで円盤８を内径側から支持し、間隔を設定して垂れ下がりを防止すると共に、下端側は底蓋１１に固定されていて、この上蓋１０と底蓋１１は支持軸１５に固定されてスクリーン部３を形成し、スクリーン部３はモータ５により回転される。
【００２４】
スクレーパー１２は、図７、８に示すように固定枠１ａに取付板を介して固定されていて、このスクレーパー１２の板先は図８に示すように円盤８の先端間の溝内に約５ｍｍ食い込ませてあり、この食い込みで担体９とごみ類を掻き落とし、目詰まりを解消する。
【００２５】
なお、経年的にメンテナンスが必要となった場合には、スクレーパー１２を固定枠１ａから取り外し、更に支持軸１５を円盤８から取り外して分解し、水又は油で洗浄する。
【００２６】
本実施例の分離機は、以上の如き構成と作用から成り、その用途は廃液中の汚染物を担体で微生物化して除去する形態以外にその他の混合不純物の除去用分離機に適用が可能である。
【００２７】
また、実施例において、本案分離機１は、処理槽２内において縦型に設置されているが、当然のこととして横型としての設置例もあり、この設置例は現場の状況に応じて決定される。
【符号の説明】
【００２８】
１  分離機
３  スクリーン部（円筒型）
５  モータ
５ａ  回転軸
８  円盤
１０  上蓋  
１１  底蓋
１２  スクレーパー
１５  支持軸
【図１】
2019115875.tif 000003
【図２】
2019115875.tif 000004
【図３】
2019115875.tif 000005
【図４】
2019115875.tif 000006
【図５】
2019115875.tif 000007
【図６】
2019115875.tif 000008
【図７】
2019115875.tif 000009
【図８】
2019115875.tif 000010
【図９】
2019115875.tif 000011
【図１０】
2019115875.tif 000012